(57)【要約】【課題】下階と上階との間で互いに様子をうかがい易く、下階を利用する人と上階を利用する人との交流を図り易くすることが可能な建物を提供する。【解決手段】１階床２、中間床５及び２階床３が断面視において雛壇状に配置された建物とする。これにより、１階床２上の食堂１４にいる人は斜め上方を見るだけで、中間床５上の居間７を介して子供室１９の様子をうかがうことができ、上階にいる人と下階にいる人との交流を図り易くすることができる。また、中間床５上に室内空間を形成する居間７と、２階床３上に室内空間を形成する子供室１９の天井とを同じ高さとし、連続した開放感のある空間を形成する。【選択図】図４
2015083754.tif 000002
【特許請求の範囲】
【請求項１】
下階床上に室内空間を形成する下階室と、
上階床上に室内空間を形成する上階室と、
上下方向において前記下階床と前記上階床との間に位置する中間床上に室内空間を形成する中間室とを備え、
前記中間室の天井と前記上階室の天井とは同じ高さであり、
前記下階床、前記中間床及び前記上階床は、断面視において雛壇状に配置されていることを特徴とする建物。
【請求項２】
平面視において前記中間床と前記上階床との間の前記下階床上には、吹抜け部が形成されていることを特徴とする請求項１に記載の建物。
【請求項３】
平面視において前記中間室は上階の外部床に面しており、
前記中間室と前記外部床とを区画する外周壁には、窓が設けられていることを特徴とする請求項１又は２に記載の建物。
【請求項４】
前記窓は、前記上階床近傍から前記天井近傍まで達する大きさを有し開閉自在であることを特徴とする請求項３に記載の建物。
【請求項５】
子供室である前記上階室を備え、
平面視において前記子供室と前記中間室との間には、開放型の上階廊下が設けられ、
前記子供室への出入口は前記上階廊下に面しており、
前記出入口に配置された建具は半透明のスライド式の建具であることを特徴とする請求項１〜４の何れか１項に記載の建物。
【請求項６】
上階に配置された寝室は、前記下階室上の領域に配置されていることを特徴とする請求項１〜５の何れか１項に記載の建物。
【請求項７】
平面視において前記上階室に隣接する開放型の上階廊下には、前記中間室を臨む位置に学習スペースが形成されていることを特徴とする請求項１〜６の何れか１項に記載の建物。
【発明の詳細な説明】
【技術分野】
【０００１】
本発明は、上階床と下階床との間の高さ位置に中間床を備えた建物に関する。
【背景技術】
【０００２】
従来の建物として、親世帯及び子世帯の両方が共用する玄関と、中間床部に隣接する１階部分に両世帯が交流できる交流スペースとを有する建物がある（例えば特許文献１参照）。この特許文献１に記載の建物では、透かし樹脂ボードを有する目隠し部材が中間床部の交流スペース側の側面に配置されている。
【０００３】
また、二世帯が居住可能な住宅において、祖父母（親世帯）による孫に対する育児協力を促進するために、親世帯の居住部から子世帯の子供部屋（孫部屋）に他の領域を通らずに直接アクセスできるようにしたものがある（例えば特許文献２参照）。
【先行技術文献】
【特許文献】
【０００４】
【特許文献１】特開２００８−２６６９３２号公報
【特許文献２】特開２０１１−２３６７２６号公報
【発明の概要】
【発明が解決しようとする課題】
【０００５】
上記の特許文献１に記載の建物では、１階部分に交流スペースがあるので２階を利用する人は１階まで降りて１階の人と交流する必要があり、自然な交流を図ることが難しかった。また、建物１では、１階から２階に連絡する階段が１回の折り返しを経て接続され、階段の折り返し部分に位置する踊場が延長されて中間床部が形成されているので、１階にいる人は、２階部分をうかがうことができず、１階の人と２階の人との交流の妨げになっていた。また、平面視において、中間床部と１階の交流スペースとが隣接して配置されているが、中間床部の交流スペース側の側面には目隠し部材が配置されており、この目隠し部材が視線の邪魔になり、１階にいる人と中間床部にいる人においても互いに様子をうかがうことが難しかった。
【０００６】
また、上記の特許文献２に記載の建物では、下階の親世帯の住居部と上階の子世帯の住居部とが完全に分離遮蔽されており、さらに子世帯の住居部内においても子供部屋（孫部屋）と他の領域とが分離遮蔽されていた。そのため、親夫婦が孫の面倒を見る場合は、孫部屋に籠らざるをえず、子夫婦は孫部屋をうかがうことができなかった。また、孫が単独で孫部屋に籠った状態では、親夫婦及び子夫婦ともに孫部屋の内部をうかがうことができなかった。そのため下階の人と上階の人との交流を図り易くすることが求められている。
【０００７】
そこで、下階と上階との間で互いに様子をうかがい易くすることができ、下階を利用する人と上階を利用する人との交流を図り易くすることができる建物を提供することを目的とする。
【課題を解決するための手段】
【０００８】
本発明の建物は、下階床上に室内空間を形成する下階室と、上階床上に室内空間を形成する上階室と、上下方向において下階床と上階床との間に位置する中間床上に室内空間を形成する中間室とを備え、中間室の天井と上階室の天井とは同じ高さであり、下階床、中間床及び上階床は、断面視において雛壇状に配置されていることを特徴としている。
【０００９】
この建物では、下階床、中間床及び上階床が断面視において雛壇状に配置されているので、下階室にいる人は斜め上方を見るだけで中間室を介して上階室の様子や気配を容易にうかがうことができる。同様に、上階室にいる人は斜め下方を見るだけで中間室を介して下階室の様子や気配を容易にうかがうことができる。そのため、下階室と上階室との間で互いの様子を容易にうかがうことができ、下階室にいる人と上階室にいる人との交流を図り易くすることができる。また、中間室の天井と上階室の天井とが同じ高さであるので、中間室及び上階室の天井を連続して形成することができ、開放感のある空間を形成することができる。なお、室内空間とは、建物内の空間であり、四方全てを壁によって囲まれていない空間を含むものとする。また、「中間室の天井と上階室の天井とは同じ高さであり」とは、中間室の天井と上階室の天井とが略等しい高さである場合を含み、施工誤差などにより高さにずれが生じている場合も含む。
【００１０】
また、平面視において中間床と上階床との間の下階床上には、吹抜け部が形成されていることが好適である。この構成の建物では、平面視において中間床に隣接するように吹抜け部が形成されているので、下階室と上階室との間の狭窄部分に広がりを持たせることができ、空間に連続性を持たせて開放感のある一体空間を形成することができる。
【００１１】
また、平面視において中間室は上階の外部床に面しており、中間室と外部床とを区画する外周壁には、窓が設けられていることが好ましい。この構成の建物では、中間室と外部床との間の外周壁に窓が設けられているので、窓を透過した太陽光は中間室及び下階室に到達し、中間室及び下階室を明るくし開放感のある空間とすることができる。
【００１２】
また、窓は、上階床近傍から天井近傍まで達する大きさを有し開閉自在であることが好適である。この構成の建物では、中間室と外部床とを区画する外周壁に窓が設けられ、この窓は上階床近傍から天井近傍まで達する大きさであるので、比較的大きな開口部を形成することができ、中間室を介して建物内部の通風換気を効果的に行うことができる。なお、「近傍」とは、上階床あるいは天井との差が０〜２００ｍｍ程度の範囲をいう。
【００１３】
また、上階室は子供室であり、平面視において子供室と中間室との間には、開放型の上階廊下が設けられ、子供室への出入口は上階廊下に面しており、出入口に配置された建具は半透明のスライド式の建具であることが好ましい。この構成の建物では、上階に設けられた子供室と中間室との間には開放型の上階廊下が設けられ、この上階廊下に面するように子供室の出入口が設けられているので、子供室に出入りする人の様子を中間室や下階室から確認することができる。また、子供室の出入口に配置された建具は半透明のスライド式の建具であるので、建具の開放時はもちろんのこと閉鎖時であってもシルエットを確認して子供室の内部の様子をうかがうことが可能となる。そのため、子供室の様子や気配が中間室及び下階室から詳細にうかがうことができる。開放型の上階廊下とは、上階に設けられた廊下であって、廊下の側方の一部又は全部が壁に覆われていない廊下をいう。
【００１４】
また、上階に配置された寝室は、下階室上の領域に配置されていることが好適である。この構成の建物では、下階室の上に寝室が配置されているので、上階床によって下階室からの寝室への視線が遮られることになり、寝室のプライバシーを確保することができる。
【００１５】
また、平面視において上階室に隣接する開放型の上階廊下には、中間室を臨む位置に学習スペースが形成されていることが好ましい。このように、開放型の上階廊下において中間室を臨む位置に学習スペースが設けられているので、子供に対して学習スペースの利用を促しやすく、中間室に隣接し開放的な空間において子供を勉強させることができる。そのため、子供が室内にこもってしまうこと抑制して、子供の引きこもりを防止しやすくなる。
【発明の効果】
【００１６】
本発明によれば、下階と上階との間で互いに様子をうかがい易くすることができ、下階を利用する人と上階を利用する人との交流を図り易くすることができる建物を提供することができる。
【図面の簡単な説明】
【００１７】
【図１】本発明の一実施形態の建物の１階部分を示す平面図である。
【図２】本発明の一実施形態の建物の２階部分を示す平面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【発明を実施するための形態】
【００１８】
以下、図面を参照しつつ、本発明に係る建物の実施形態について詳細に説明する。図１及び図２では、建物１の北側の領域が上側になるように図示している。
【００１９】
（躯体基本構成）
建物１は、例えば３０５ｍｍの平面モジュール（いわゆる「尺モジュール」）を有する梁勝ち工法が採用された鉄骨造２階建て、陸屋根形式の工業化住宅である。建物１の基礎は、格子状に構築された鉄筋コンクリート造の布基礎であり、Ｈ型鋼からなる基礎梁が適宜架け渡されている。建物１の軸組架構は、規格化された複数の梁及び柱が剛接合されて構成され、１階及び２階の柱の長さは等しくなっている。規格化された柱の長さは１階及び２階とも単一種類であり建物１の高さは固定され、基本的には、２階床３は階高を２等分する高さに配置されている。
【００２０】
各階の床は各階の梁で支持された複数のＡＬＣ（軽量気泡コンクリート）パネルからなり、１階床２は基礎梁に支持され、２階床３は２階の梁に支持されている。建物１の外周壁４は各階の梁で支持された複数のＡＬＣパネルからなり、ＡＬＣパネルの上端及び下端はそれぞれ、上下方向に対向する梁に支持されている。１階部分の外周壁４は基礎梁及び２階の梁に支持され、２階部分の外周壁４は２階の梁及び屋上階の梁に支持されている。
【００２１】
建物１は、１階及び２階で上下に連続して配置された四隅の柱の内側の領域である平面視矩形状の複数のグリッドを備え、複数のグリッドのうちの一つのグリッドにおいて、２階床３（及び小梁）が取り除かれ、この取り除かれた領域内に中間床５が設置されている。「２階床が取り除かれ」とは、２階床３が設置されていないことをいう。同様に、「小梁が取り除かれ」とは、小梁が設置されていないことをいう。また、中間床５が設置されるグリッド（領域）を中間階グリッド６という。
【００２２】
建物１の軸組架構は、中間床５を支持する中間梁及び中間柱を有し、２階床３の床面よりも約８００ｍｍ低い高さに中間床５（及び中間梁）を設けることができるように、規格化されている。中間床５は、１階床２及び２階床３と同様にＡＬＣからなり、中間梁によって支持されている。
【００２３】
建物１では、図１及び図２に示されるように、平面視において南北方向の長さは東西方向の長さより長くなっている。中間階グリッド６は、平面視において矩形状を成し、建物１の南北方向の中間且つ東寄りの領域に形成され、中間階グリッド６は東側の外周壁４ａに面している。
【００２４】
建物１では、中間階グリッド６内の北寄りの領域に中間床５が配置され、当該中間床５上の空間が第１の居間（高天井居室、中間室）７となる。中間階グリッド６内の南寄りの領域には中間床５が設けられておらず、吹抜け部８となっている。
【００２５】
（建物の全体構成）
建物１の１階部分には、図１に示されるように、玄関ポーチ９、玄関１０、ホール１１、第２の居間１２、台所１３、食堂１４、客間（和室）１５及びトイレ１６が配置され、建物１の２階部分には、図２に示されるように、寝室１７、ＷＩＣ（walk-in closet）１８、子供室１９、２階廊下（学習コーナー）２０、浴室２１、トイレ洗面室２２、洗濯コーナー２３及びベランダ２４が配置されている。
【００２６】
玄関ポーチ９は建物１の北西の角部に配置され、玄関ポーチ９の南側に玄関１０が配置されている。玄関１０の南側にホール１１が配置され、ホール１１は玄関よりも東側に張り出し、ホール１１の東寄りの領域の北側に隣接してトイレ１６が配置されている。
【００２７】
ホール１１及びトイレ１６の東側であり、建物１の北東の角部には、客間１５が配置されている。客間１５には畳が敷かれ和室として構成されている。客間１５の東側であり、トイレ１６の北側の領域には収納スペースが設けられている。ホール１１と客間１５との間の間仕切り壁には、片引き形式の建具１５ａが設けられている。
【００２８】
また、ホール１１及び客間１５の南側には、１階廊下２５及第２の居間１２が配置されている。廊下２５は、南北方向に延び台所１３及び食堂１４に達している。廊下２５の西側の外周壁４ｂに沿ってベンチ２５ａが設けられている。ホール１１と廊下２５との間の間仕切り壁には、片引き形式の建具１１ａが設けられている。また、客間１５と第２の居間１２の間には、廊下２５から東西方向に延びる通路２７が形成され、通路２７は、客間１５の南側に面し東側の外周壁４まで達している。
【００２９】
（第２の居間）
第２の居間１２は、中間床５（第１の居間７）の下に配置されている。平面視において、第２の居間１２は、客間１５（通路２７）の南側に配置されている。第２の居間１２の床レベルは１階床２の一般部の床レベルよりも４００ｍｍほど低く設定されており、具体的には、ホール１１、客間１５、廊下２５、通路２７、台所１３及び食堂１４の床レベルよりも低くなっている。図５に示されるように、第２の居間１２の床面と天井（中間床５の底面）との間の高さは、２１００ｍｍ程度であり、第２の居間１２において、法的な居室としての天井高が確保されている。１階床２における第２の居間１２の周辺部分（廊下２５の東側の縁、通路２７の南側の縁、及び食堂１４の北側の縁）は、第２の居間１２の床が低く設定されているので、この第２の居間１２の床との高低差により腰かけとして利用可能である。
【００３０】
第２の居間１２と南側の台所１３及び食堂１４との間には間仕切り建具などはなく、第２の居間１２と台所１３及び食堂１４とは一体の空間となっている。第２の居間１２と北側の客間１５との間の間仕切り壁には３枚引き違い形式の建具２６が設けられ、この建具２６によって第２の居間１２と客間１５とが仕切られている。また、第２の居間１２と西側の廊下２５との間には間仕切り建具などはなく、第２の居間１２と１階廊下２５とは一体的な空間を形成している。すなわち、第２の居間１２、１階廊下２５、通路２７、台所１３及び食堂１４は、一体的な空間を形成している。
【００３１】
（台所及び食堂）
台所１３及び食堂１４は、廊下２５及び第２の居間１２の南側であり、１階床２上の室内空間のうち南寄りの位置に配置されている。台所１３は建物１の南西の角部に配置され、食堂１４は建物１の南東の角部に配置されている。台所１３には東側の食堂１４を臨むように配置された対面式キッチンセット（厨房設備）１３ａが設けられ、食堂１４には食卓セット１４ａが置かれたダイニングスペースが形成されている。なお、図３及び図４では、食卓セット１４ａの図示が省略されている。キッチンセット１３ａは、シンクやガス台等を備え、食卓セット１４ａは、テーブル及び椅子を備えている。また、食堂１４の北側の端には、東側の外周壁４ａに沿って北向きに斜め上方に延び、中間床５に達する下階段３０が設けられている。
【００３２】
（第１の居間）
建物１は、中間床５上に室内空間を形成する第１の居間７を有する。第１の居間７は、平面視において、食堂１４の北側であり、客間１５の南側に配置されている。第１の居間７の天井面７ａの高さは２階の居室（２階室）の天井面３ａと等しくなっている。２階の居室の天井面３ａとは、建物１の２階の室内空間を形成する子供室１９の天井面などである。平面視において第１の居間７の西側には、ベランダ２４が配置されている。第１の居間７と西側のベランダ２４との間の外周壁４ｃには２枚構成の折り畳み式障子４組からなる全開可能な全開窓２８が設けられている。
【００３３】
全開窓２８の障子はそれぞれベランダ２４側（建物１の外部側）に張り出しながら折り畳まれ、全開窓２８の幅方向の両側へ振り分けられるようにスライドして全開状態となる。全開窓２８の下端の高さ位置は、２階床３の床面より約１８０ｍｍ高く、中間床５の床面より約９８０ｍｍ高く設定されている。また、全開窓２８の上端の高さ位置は、天井面７ａより約７０ｍｍ低い位置に配置されている。
【００３４】
第１の居間７の東側の外周壁４ａには東側窓２９が設けられている。この東側窓２９の下端の高さ位置及び上端の高さ位置は、全開窓２８と同一である。これにより、一般的な大きさのソファやテレビ等を外周壁４ｃ，４ａに沿って配置しても、全開窓２８や東側窓２９からの採光や通風が遮られることがない。
【００３５】
また、中間床５の南側の端には、ベランダ２４側の外周壁４ｃに沿って南向きに斜め上方に延び、２階床３に達する第１の上階段３１が設けられ、中間床５の北側の端には、ベランダ２４側の外周壁４ｃに沿って北向きに斜め上方に延び、２階床３に達する第２の上階段３２が設けられている。
【００３６】
中間床５の南側の縁部には、吹抜け部８に沿う腰壁形式の手摺３３が設けられている。腰壁形式の手摺３３は、中間床５の床面から９００ｍｍ程度の高さを有する。
【００３７】
（吹抜け部）
吹抜け部８は１階床２の床面上に形成されている。吹抜け部８には中間床５及び２階床３が設けられておらず、吹抜け部８は１階床２の床面から天井面８ａまで連続する領域を形成している。吹抜け部８の天井面８ａの高さは２階の天井面３ａ（及び第１の居間７の天井面７ａ）と等しくなっている。吹抜け部８には、上記の下階段３０及び第１の上階段３１が設置されている。下階段３０は平面視及び立面視共に一直線状に配置され、第１の上階段３１は平面視において一直線状、立面視において「ヘ」字状を成している。第１の上階段３１の上端部には２階床３と同一レベルとなる踊場３４が形成されている。下階段３０は吹抜け部８の東側の辺に接し北から南に向かって中間床５から降りるように配置され、第１の上階段３１は吹抜け部８の西側の辺に接し北から南に向かって中間床５から昇るように配置されている。
【００３８】
（子供室）
建物１では２階の北東の角部に子供室１９が配置されている。子供室１９は２階床３上の空間のうち北寄りの位置に配置されている。子供室１９の中央には間仕切りを兼ねた可動式収納家具３５が配置され、その両側のスペースにはベッド３６がそれぞれ置かれている。子供室１９の南側の間仕切り壁には、２階床３の床面から天井まで達する天地丈４枚引き違い形式の建具３７が設置されている。建具３７の面材は半透明のアクリル樹脂からなり、建具３７を閉めた状態であっても吹抜け部８からの採光が確保され、第１の居間７、台所１３及び食堂１４などから子供室１９内の気配が感じ取れるようになっている。なお、建具３７の面材としてはアクリル樹脂以外の樹脂を用いることができ、半透明のガラスなどを用いてもよい。
【００３９】
（２階廊下）
２階廊下２０は２階床３の一部に形成され、第１の居間７の北側に隣接すると共に子供室１９の南側に隣接して配置されている。２階廊下２０は東西方向に延在する開放型の廊下であり、この２階廊下２０において、第１の居間７との境界を成す辺には腰壁形式の手摺３８が設けられる。また、２階廊下２０において、手摺３８に沿って第１の居間７を臨むように学習コーナー（ネスト空間）が形成されている。学習コーナーには、学習机として利用できるカウンター３９が設けられ、カウンター３９に対して２つの椅子４０が配置されている。また、上記の第２の上階段３２は、２階廊下２０と中間床５とを接続している。開放型の廊下とは、側方の一部又は全部に壁が設けられておらず、側方から廊下上の人物などを視認することが可能な廊下をいう。
【００４０】
（水回り）
建物１では２階の北西の角部に水回り４１が配置されている。水回り４１は２階床３上の空間で子供室１９に沿って南北方向に連なるように設けられている。水回り４１は、北から順に浴室２１、トイレ洗面室２２、洗濯コーナー２３などを有し、トイレ洗面室２２には洗面化粧台２２ａと便器２２ｂとが配置されている。洗濯コーナー２３は、東側に隣接する２階廊下２０に連通している。また、洗濯コーナー２３の南側にはベランダ２４が隣接して配置され、ベランダ２４との境界に配置された外周壁４ｄには、ベランダ２４に通じるドアが設けられている。
【００４１】
（ベランダ）
ベランダ２４は平面視において第１の居間７の西側であり水回り４１の南側に配置されている。ベランダ２４は２階部分の外周壁４ｄ，４ｃ，４ｅによって北側、東側及び南側の３方向が囲まれており、西側には腰壁４３が設けられ、腰壁４３より上方が外部に対して開放されている。また、ベランダ２４の全面を覆うように屋根が架けられ、軒天井には物干し竿を架け渡すための一対の物干し金物が取り付けられている。ベランダ２４には、北側の洗濯コーナー２３及び南側の寝室１７から出入りが可能である。また、ベランダ２４の床面は２階床３と同一の高さになっている。
【００４２】
（寝室）
寝室１７は２階床３上の空間のうち南寄りの位置に配置されている。寝室１７の南西の角部にはＷＩＣ１８が配置され、寝室１７の北西の角部には書斎コーナー４２が配置されている。書斎コーナー４２はベランダ２４の南側に隣接し、ベランダ２４と書斎コーナー４２との間の外周壁４ｅには掃出し窓が設けられており、寝室１７からベランダへの出入りが可能となっている。また、寝室１７と第１の居間７とは第１の上階段３１によって接続されて人の出入りが可能となっている。寝室１７の内部には、２台のベッド１７ａが配置されている。
【００４３】
（雛壇状）
ここで、建物１では、図４に示されるように、南北方向に沿う断面において、食堂１４、第１の居間７及び子供室１９が雛壇状に配置されている。断面視において、食堂１４の床面よりも第１の居間７の床面が高い位置に配置され、第１の居間７の床面よりも子供室１９の床面が高い位置に配置されることで、食堂１４の床面、第１の居間７の床面及び子供室１９の床面が雛壇状に配置されている。
【００４４】
次に建物１の作用について説明する。
この建物１では、食堂１４の床面、中間床５である第１の居間７の床面及び子供室１９の床面が断面視において雛壇状に配置されているので、食堂１４にいる人物は斜め上方を見るだけで第１の居間７を介して子供室１９の様子や気配を容易にうかがうことができる。同様に子供室１９にいる人物は斜め下方を見るだけで第１の居間７を介して食堂１４の様子や気配を容易にうかがうことができる。そのため、食堂１４、第１の居間７及び子供室１９の間で互いの様子を容易にうかがうことができ、第１の居間７を挟んで上階と下階にいる人同士の交流を図り易くすることができる。
【００４５】
また、建物１では平面視において第１の居間７と食堂１４との間に吹抜け部８が形成されているので、下階と上階との間の狭窄部分K（図４参照）に広がりを持たせることができ、食堂１４、吹抜け部８、第１の居間７、２階廊下２０及び子供室１９の空間に連続性を持たせ開放感のある一体空間を形成することができる。狭窄部分Kとは、図４に示されるように中間床５の吹抜け部８側の縁と、吹抜け部８を挟んで対向する１階（食堂１４）の天井の縁との距離である。
【００４６】
また、建物１では、吹抜け部８、第１の居間７、２階廊下２０及び子供室１９の天井の高さが同一であるので、連続性があり開放感のある空間を形成することができる。なお、これらの天井同士の高さは、略等しい高さであるものを含み、施工誤差などにより高さがずれているものを含む。
【００４７】
また、平面視において第１の居間７は２階のベランダ２４に面しており、第１の居間７とベランダ２４とを区画する外周壁４ｃには、全開窓２８が設けられているので、全開窓２８を透過した太陽光は第１の居間７、第２の居間１２及び食堂１４に到達し、第１の居間７、第２の居間１２及び食堂１４を明るくし開放感のある空間とすることができる。
【００４８】
また、全開窓２８は、２階床３の床面レベルから天井近傍まで達する大きさを有し開閉自在であるので、比較的大きな開口部を形成することができ、第１の居間７を介して建物１内部の通風換気を効果的に行うことができる。
【００４９】
また、建物１では、平面視において子供室１９と第１の居間７との間には、開放型の２階廊下２０が設けられ、子供室１９への出入口は２階廊下２０に面しており、出入口に配置された建具３７は半透明のスライド式の建具であるので、子供室１９に出入りする人の様子を第１の居間７や１階の食堂１４から確認することができる。また、子供室１９の出入口に配置された建具３７は半透明のスライド式の建具であるので、建具の開放時はもちろんのこと閉鎖時であってもシルエットを確認して子供室の内部の様子をうかがうことが可能となる。そのため、子供室１９の様子や気配が第１の居間７及び１階の食堂１４から詳細にうかがうことができる。
【００５０】
また、２階に配置された寝室１７は、食堂１４上の領域に配置されているので、２階床３によって食堂１４からの寝室１７への視線が遮られることになり、寝室１７のプライバシーを確保することができる。
【００５１】
また、平面視において子供室１９に隣接する開放型の２階廊下２０には、第１の居間７を臨む位置に学習スペースが形成されているので、子供に対して学習スペースの利用を促しやすく、第１の居間７に隣接し開放的な空間において子供を勉強させることができる。そのため、子供が室内にこもってしまうこと抑制して、子供の引きこもりを防止しやすくなる。
【００５２】
本発明は、前述した実施形態に限定されず、本発明の要旨を逸脱しない範囲で下記のような種々の変形が可能である。
【００５３】
上記実施形態の建物１では、食堂１４の床面、第１の居間７の床面及び子供室１９の床面が、南北方向に沿う断面において、雛壇状に配置されているが、雛壇状に配置される床面が隣接する方向は南北方向に限定されず、南北方向から４５度程度ずれた方向でもよく、東西方向でもよい。
【００５４】
上記実施形態では、食堂１４、第１の居間７及び子供室１９が雛壇状に配置されているが、雛壇状に配置される下階室、中間室及び上階室の組み合わせは、食堂１４、第１の居間７及び子供室１９に限定されない。下階室、中間室及び上階室の組み合わせは、例えば、ホール、廊下、台所、食堂、客間、居間、子供室、洋室などの何れかを組み合わせたものでもよい。上階室は子供室に限定されず、例えば、食堂、寝室、居間、廊下など、上階床上に室内空間を形成するその他の上階室でもよい。
【００５５】
また、上記実施形態では、平面視において、第１の居間７と寝室１７との間に、吹抜け部８が形成されているが、第１の居間７と子供室１９との間に吹抜け部が形成されていてもよい。また、吹抜け部が形成されていない建物でもよい。
【００５６】
また、上記実施形態では、中間室に隣接してベランダ２４が配置されているが、ベランダ２４に代えて、その他の部屋などが配置されている建物でもよい。
【００５７】
また、上記実施形態では、中間床５は、上階床から８００ｍｍ低い高さに配置されているが、その他の高さに中間床が配置されていてもよい。例えば上階床から７００ｍｍ〜９００ｍｍ低い高さに配置されている中間床５としてもよい。
【００５８】
また、上記実施形態では、下階床を１階の床とし、上階床を２階の床としているが、下階床を２階の床とし、上階床を３階の床としてもよい。また、下階床を地面より低いと高さに配置してもよい。
【００５９】
また上記実施形態では、中間室と外部床とを区画する外周壁に、折り畳み式障子を有する全開可能な窓を備える構成としているが、窓は、引き違い形式の窓、片引き窓、両袖片引き窓、出窓、上げ下げ窓、外開き窓、内倒し窓、滑り出し窓、折りたたみ窓などその他の窓でもよい。また、窓の大きさ、形状も限定されない。
【００６０】
また、子供室１９の出入口の設けられる建具は、半透明のスライド式の建具に限定されず、例えばドア式の建具などその他の建具が設けられていてもよい。
【００６１】
また、上記の実施形態では、建物を住宅として説明しているが、建物は住宅に限定されず、例えば病院、店舗、事務所などその他の用途に使用される建物でもよい。
【符号の説明】
【００６２】
１…建物、２…１階床（下階床）、３…２階床（上階床）、３ａ…２階の天井面、４…外周壁、５…中間床、７…第１の居間（中間室）、７ａ…第１の居間の天井面、８…吹抜け部、１９…子供室、２０…２階廊下（開放型の上階廊下）、２８…全開窓、３７…スライド式の建具。
【図１】
2015083754.tif 000003
【図２】
2015083754.tif 000004
【図３】
2015083754.tif 000005
【図４】
2015083754.tif 000006
【図５】
2015083754.tif 000007